(57)【特許請求の範囲】
【請求項１】
加圧下で実現される金属拡散に基づき境界線の消失を伴って形成され表面に現れる色のグラデーションを有する金の合金体を含むことを特徴とする装飾品。
【請求項２】
請求項１に記載の装飾品において、前記合金体は、異なる色を有する複数の金合金を含むことを特徴とする装飾品。
【請求項３】
異なる色を有する複数の金合金の素材を重ねる工程と、
圧力を加えながら前記素材を加熱し、前記素材同士の境界面で金属拡散に基づき前記金合金を混合し、前記境界面の消失を伴う前記素材のグラデーションを形成する工程と、
前記素材の塊を加工し、金属拡散に基づき境界線の消失を伴って形成され表面に現れる色のグラデーションを有する金の合金体を調整する工程と
を備えることを特徴とする装飾品向け合金体の製造方法。
【発明の詳細な説明】
【技術分野】
【０００１】
本発明は、指輪やネックレス、イヤリング、ブレスレットといったジュエリーおよび腕時計を含む装飾品に関する。
【背景技術】
【０００２】
特許文献１には、第１色の第１金属バルクと、第１色から相違する第２色の第２金属バルクとに基づき成型されて、表面に色のグラデーションを有するジュエリー用素材が開示される。ジュエリー用素材の鋳造にあたって筒形状の鋳型に第１金属バルクおよび第２金属バルクはセットされる。第１金属バルクは鋳型の入り口に向かって徐々に縮小する断面を有する一方で、第２金属バルクは鋳型の入り口に向かって徐々に拡大する断面を有する。誘導コイルは第１金属バルクおよび第２金属バルクの断面に沿って溶融層を形成する。平たい溶融層が鋳型の入り口に向かって徐々に移動することで、溶融層内で第１金属バルクおよび第２金属バルクの比率が変化し、色のグラデーションが作られる。
【先行技術文献】
【特許文献】
【０００３】
【特許文献１】韓国特許公開第１０−２０１６−００２４１４９号公報
【発明の概要】
【発明が解決しようとする課題】
【０００４】
特許文献１のジュエリー用素材の製造方法では水平面に沿って平たい溶融層が形成される。溶融層には磁力線が作用するものの、溶融層内で水平方向に対流は生じにくい。溶融層は水平面に沿って平たいことから、溶融層内で色むらが生じやすい。その結果、仕上がった素材内で思い通りに色の配置を実現することは難しい。
【０００５】
本発明は、良好に計算された配置で色のグラデーションを有する装飾品を提供することを目的とする。
【課題を解決するための手段】
【０００６】
本発明の第１側面によれば、金属拡散に基づき形成され表面に現れる色のグラデーションを有する金の合金体を含む装飾品は提供される。
【０００７】
第２側面によれば、前記合金体は、異なる色を有する複数の金合金を含む。
【０００８】
本発明の第３側面によれば、異なる色を有する複数の金合金の素材を重ねる工程と、前記素材を加熱し、前記素材同士の境界面で金属拡散に基づき前記金合金を混合し、前記境界面を跨いで前記素材のグラデーションを形成する工程と、前記素材の塊を加工し、金属拡散に基づき形成され表面に現れる色のグラデーションを有する金の合金体を調整する工程とを備える装飾品向け合金体の製造方法は提供される。
【発明の効果】
【０００９】
第１側面によれば、金の合金（以下、「金合金」という）はいずれも同系色であることから、相違する色の金合金同士が金属拡散で結合すると、金合金同士の境界で金属拡散に基づき色が良好に混ざり合う。金合金同士の境界は消失する。金属拡散は境界面から遠ざかるにつれて減少することから、境界面を跨いで混ざり合う素材のグラデーションは形成される。合金体の表面には、一方の色から他方の色に向かって徐々に変化する美しい色のグラデーションが現れる。金属拡散は固体の金属で実現されることから、金合金同士の境界面は固体の形状に基づき思い通りの位置に配置されることができる。こうして良好に計算された配置で色のグラデーションを有する装飾品は提供されることができる。
【００１０】
第２側面によれば、グラデーションの形成にあたって金合金は起点となる２以上の色を提供する。境界面を跨いで一方の色から他方の色に向かって徐々に色は変化する。こうして合金体の表面には美しい色のグラデーションが現れる。ここでは、装飾品は、金属拡散に基づき合金体に結合される金、パラジウムまたはプラチナの金属体を含んでもよい。結合される金合金が金、パラジウムまたはプラチナと同系色であれば、相違する色の金合金と金属体とが金属拡散で結合すると、金合金と金属体との境界で金属拡散に基づき色が良好に混ざり合う。金合金と金属体との境界は消失する。前述と同様に素材のグラデーションは形成される。
【００１１】
第３側面によれば、金の合金はいずれも同系色であることから、相違する色の金合金同士が金属拡散で結合すると、金合金同士の境界で金属拡散に基づき色が良好に混ざり合う。金合金同士の境界は消失する。金属拡散は境界面から遠ざかるにつれて減少することから、境界面を跨いでグラデーションは形成される。合金体の表面には、一方の色から他方の色に向かって徐々に変化する美しい色のグラデーションが現れる。金属拡散は固体の金属で実現されることから、金合金同士の境界面は固体の形状に基づき思い通りの位置に配置されることができる。
【図面の簡単な説明】
【００１２】
【図１】本発明の一実施形態に係る装飾品としてのネックレスを概略的に示す概念図である。
【図２】合金体の製造方法を概略的に示す概念図である。
【図３】ビレットの写真である。
【図４】他の実施形態に係る装飾品としてのリングを概略的に示す概念図である。
【図５】さらに他の実施形態に係る装飾品としてのイヤリングを概略的に示す概念図である。
【図６】さらに他の実施形態に係る装飾品としてのブレスレットを概略的に示す概念図である。
【発明を実施するための形態】
【００１３】
以下、添付図面を参照しつつ本発明の一実施形態を説明する。
【００１４】
図１は本発明の一実施形態に係る装飾品としてのネックレスを概略的に示す。ネックレス１１は、首に巻き掛けられるチェーン１２と、チェーン１２に結合されるペンダント１３とを有する。ペンダント１３は、例えば、金属拡散に基づき形成され表面に現れる色のグラデーションを有する金の合金体１３ａを含む。合金体１３ａの表面には複数のダイヤモンド粒１３ｂが埋め込まれる。
【００１５】
合金体１３ａは、異なる色を有する複数の金合金を含む。金合金には、例えば、ホワイトゴールド、イエローゴールド、ローズゴールド、レッドゴールド、ピンクゴールド、グリーンゴールド、ブルーゴールド、パープルゴールド、グレイゴールド、その他が含まれることができる。ホワイトゴールドは、例えば、７５重量％の金および２５重量％のパラジウムまたはプラチナで構成される。イエローゴールドは、例えば、７５重量％の金、１２．５重量％の銅および１２．５重量％の銀で構成される。ローズゴールドは、例えば、７５重量％の金、２２．２５重量％の銅および２．７５重量％の銀で構成される。レッドゴールドは、例えば、７５重量％の金および２５重量％の銅で構成される。あるいは、レッドゴールドは、例えば、５０重量％の金および５０重量％の銅で構成されてもよい。ピンクゴールドは、例えば、７５重量％の金、２０重量％の銅および５重量％の銀で構成される。あるいは、ピンクゴールドは、例えば、７５重量％の金、１９重量％の銅、４重量％の銀および２重量％のパラジウムで構成されてもよい。グリーンゴールドは、例えば、７５重量％の金、６重量％の銀、１０重量％の銅および９重量％の亜鉛で構成される。あるいは、グリーンゴールドは、例えば、７５重量％の金、２０重量％の銀および５重量％の銅で構成されてもよい。ブルーゴールドは、例えば、７５重量％の金および２５重量％の鉄で構成される。パープルゴールドは、例えば、８０重量％の金および２０重量％のアルミニウムで構成される。グレイゴールドは、例えば、７５重要％の金、１７重量％の鉄および８重量％の銅で構成される。金合金の色は例えば金と銅と銀との重量比（ここにパラジウムが加わってもよい）に応じて変化する。ただし、成分の重量比はあくまで例示にすぎない。ここでは、合金体は、金属拡散に基づき金合金に結合される金、パラジウムおよびプラチナのいずれか１以上を含んでもよい。
【００１６】
金の合金は同系色であることから、相違する色の金合金同士が金属拡散で結合すると、金合金同士の境界で金属拡散に基づき色が良好に混ざり合う。金合金同士の境界は消失する。金属拡散は境界面から遠ざかるにつれて減少することから、境界面を跨いでグラデーションは形成される。合金体１３ａの表面には、一方の色から他方の色に向かって徐々に変化する美しい色のグラデーションが現れる。金属拡散は固体の金属で実現されることから、金合金同士の境界面は固体の形状に基づき思い通りの位置に配置されることができる。こうして良好に計算された配置で色のグラデーションを有する装飾品は提供されることができる。
【００１７】
次に合金体１３ａの製造方法を説明する。図２（Ａ）に示されるように、異なる色を有する複数の素材１４ａ、１４ｂ、１４ｃ、１４ｄ、１４ｅは用意される。素材１４ａ〜１４ｅは板材に形成される。個々の素材１４ａ〜１４ｅはＫ２２金、Ｋ２０金、Ｋ１８金、Ｋ１４金といった金合金から構成される。これら金合金の板材に加えて、金単体（Ｋ２４金）の板材やパラジウム単独の板材、プラチナ単独の板材が用いられてもよい。ただし、素材は５つに限られるわけではない。少なくとも隣接する素材１４ａ〜１４ｅ同士は同系色を有する。
【００１８】
板材は順番に重ねられる。重ねの順番は最終的なグラデーションの色相に基づき決定される。金合金は金と銅と銀との重量比（ここにパラジウムが加わってもよい）に応じて特有の色を有する。最終的なグラデーション内で色の位置は隣接する板材の境界面の位置で調整されることができる。境界面の位置は板材の板厚で調整されることができる。このとき、パラジウム単独の板材やプラチナ単独の板材は、銀色（白色）を有することから、例えばホワイトゴールドまたはグレイゴールドに重ねられることが望まれる。そうすれば、パラジウム単独の板材やプラチナ単独の板材と金合金の板材とは良好に混ざり合う。境界は消失し色のグラデーションは形成される。
【００１９】
図２（Ｂ）に示されるように、重ねられた板材の重ね体１５には圧力が付加される。圧力は、重ね体１５に含まれる板材の材質や板厚、板材の枚数に応じて適宜に設定される。圧力は例えば３９［ｋＮ／ｃｍ２］〜９８１［ｋＮ／ｃｍ２］の間で設定されることができる。圧力の付加に応じて板材同士の境界で素材１４ａ〜１４ｅの密着度は高められることができる。
【００２０】
そして重ね体１５には熱が加えられる。加熱温度は、同様に、重ね体１５に含まれる板材の材質や板厚、板材の枚数に応じて適宜に設定される。加熱温度は例えば摂氏７００度〜摂氏１８００度の間で設定されることができる。加熱温度は素材の融点よりも低い温度であればよい。加熱に応じて素材１４ａ〜１４ｅ同士の境界で熱拡散が進行する。
【００２１】
加熱の持続時間は、同様に、重ね体１５に含まれる板材の材質や板厚、板材の枚数に応じて適宜に設定される。加熱の持続時間は、例えば、６０分〜１８時間の間で設定されることができる。加圧および加熱処理に基づき重ね体１５は一体化する。
【００２２】
こうして図３に示されるようにビレット１６が形成される。ビレット１６では板材同士の境界面で金属拡散が発生する。境界面を跨いでグラデーションは形成される。図３から明らかなように、ビレット１６の切断面１６ａでは板材同士の境界は消失する。ビレット１６の表面（切断面１６ａを含む）には色のグラデーションが現れる。
【００２３】
ビレット１６はプレス加工や鍛造加工に基づき特定の形状に整えられる。その後、整形されたビレット１６の表面は仕上げられる。こうして金の合金体１３ａは形成される。こうして得られた合金体１３ａに基づきペンダント１３は制作される。
【００２４】
図４は他の実施形態に係る装飾品としてのリングを概略的に示す。リング２１は、指の太さに合わせて成形された環状の合金体２１ａを有する。合金体２１ａは、例えば、金属拡散に基づき形成され表面に現れる色のグラデーションを有する。合金体２１ａは前述の合金体１３ａと同様に構成される。
【００２５】
図５はさらに他の実施形態に係る装飾品としてのイヤリングを概略的に示す。イヤリング２２は、ばね力に応じて耳に固定される金具２３と、金具２３のカン２３ａに連結されるロッド形状の合金体２４とを有する。合金体２４は、例えば、金属拡散に基づき形成され表面に現れる色のグラデーションを有する。合金体２４は前述の合金体１３ａと同様に構成される。
【００２６】
図６はさらに他の実施形態に係る装飾品としてのブレスレットを概略的に示す。ブレスレット２５は、手首の太さに合わせて成形された環状の合金体２５ａを有する。合金体２５ａは、例えば、金属拡散に基づき形成され表面に現れる色のグラデーションを有する。合金体２５ａは前述の合金体１３ａと同様に構成される。
【００２７】
その他、合金体１３ａと同様な合金体は、タイピンやヘアピンといった装飾品に用いられることもでき、装飾品の１つである腕時計のベゼルやバンド、ケースに用いられることもできる。合金体１３ａと同様な合金体は、バッグや財布、ベルトなどに取り付けられるアクセントや金具といった装飾品に用いられてもよい。
【符号の説明】
【００２８】
１１…装飾品（ネックレス）、１３ａ…合金体、１４ａ…素材、１４ｂ…素材、１４ｃ…素材、１４ｄ…素材、１４ｅ…素材、１６…塊（ビレット）、２１…装飾品（リング）、２１ａ…合金体、２２…装飾品（イヤリング）、２４…合金体、２５…装飾品（ブレスレット）、２５ａ…合金体。
【要約】      （修正有）【課題】表面に現れる色のグラデーションを有する金の合金体を含む装飾品を提供する。【解決手段】ネックレス１１は、首に巻き掛けられるチェーン１２と、チェーン１２に結合されるペンダント１３とを有する。ペンダント１３は金属拡散に基づき形成され表面に現れる色のグラデーションを有する金の合金体１３ａを含む。合金体は異なる色を有する複数の金合金を含む。金の合金はいずれも同系色であることから、相違する色の金合金同士が金属拡散で結合すると、金合金同士の境界で金属拡散に基づき色が良好に混ざり合う。【選択図】図１【図１】
0006716071.tif 000002
【図２】
0006716071.tif 000003
【図３】
0006716071.tif 000004
【図４】
0006716071.tif 000005
【図５】
0006716071.tif 000006
【図６】
0006716071.tif 000007